(57)【要約】【課題】本発明は、柔軟性を特徴とする図表を提示する電子的患者パラメータ・フローシートを提供するシステム及び方法に関する。【解決手段】本発明に係るシステムは、患者のパラメータおよび関連したデータ項目および属性を結合させ若しくは望ましい位置を決めて、及び致命的でない補助データを隠すことによって、フローシート・トレンド表示ディスプレイのユーザによる構成が可能な、紙の図表の柔軟性の特徴を示している電子患者のパラメータ・フローシートを提供する。前記システムは、患者の医療パラメータデータをユーザが選択可能な収集時間間隔を含む時間区分を示しているトレンド表示ディスプレイに示しているユーザ・インターフェースを構成する。収集プロセッサは、患者モニター装置から、患者パラメータを表示するデータを収集する。プロセッサは、トレンド表示ディスプレイのためのデータ項目のユーザ選択を可能にし、属性を有するデータ項目のユーザによる関連付けを可能にすることによって、（ａ）前記データ項目は、患者の静脈輸液又は水分排出の計算に用いられる体積データを表す、（ｂ）前記データ項目は、患者の静脈輸液又は水分排出の体積の計算に用いるための比率を表す、（ｃ）前記データ項目の数値は、前記トレンド表示ディスプレイの複数の収集時間間隔に用いられるものである、のうち、少なくとも一を表示する。これによって、前記プロセッサは、患者のパラメータのトレンド表示ディスプレイを構成するために、少なくとも一つの表示画像を示しているデータおよび関連したデータ項目の生成を始める。
2005525853.tif 000002
【特許請求の範囲】
【請求項１】
患者のパラメータの収集時間間隔を含む時間を表示するトレンド表示ディスプレイにおいて患者の医療パラメータ・データを表示するユーザ・インターフェースを構成するシステムであって、
患者モニター装置から、患者のパラメータを表すデータを収集するための収集プロセッサと、
トレンド表示ディスプレイのための患者のパラメータに関連するデータ項目のユーザによる選択を可能にすることにより、また、（ａ）前記データ項目は、患者の輸液の注入又は排出の計算に用いられる体積データを表すもの、（ｂ）前記データ項目は、患者の輸液の注入又は排出の体積の計算に用いるための比率を表すもの、（ｃ）前記データ項目の数値は、前記トレンド表示ディスプレイの複数の収集時間間隔に用いられるもの、のうち少なくとも一を表す属性についての前記選択がされたデータ項目のユーザによる関連付けを可能にすることにより、関連するデータ項目と共に患者のトレンド表示ディスプレイを構成するために使用する少なくとも一のディスプレイ画像を表示するデータの生成を開始するためのプロセッサと、を含むシステム。
【請求項２】
請求項１に記載されたユーザインターフェース・システムであって、
更に、前記少なくとも一のディスプレイ画像は、前記データ項目の測定の単位を表す属性に対してユーザによる関連付けを可能にするシステム。
【請求項３】
請求項１に記載されたユーザインターフェース・システムであって、
更に、前記少なくとも一のディスプレイ画像は、（ａ）現在のデータ項目のメニューから、ユーザによる前記データ項目を識別する、データの選択、（ｂ）ユーザによる前記データ項目を識別する、データの生成、のうち少なくとも一を可能にし、
前記少なくとも一のディスプレイ画像は、（ａ）前記データ項目の名前、（ｂ）前記データ項目のデータ・タイプの識別、（ｃ）前記データ・タイプと関連する補助的データ、のうち少なくとも一についてのユーザによる決定を可能にすることにより、前記データ項目を識別するデータの生成を支援するシステム。
【請求項４】
請求項１に記載されたユーザインターフェース・システムであって、
更に、前記少なくとも一のディスプレイ画像は、前記患者のパラメータの、（ａ）患者のパラメータ・ラベル、（ｂ）補助的データ、のうち少なくとも一との関連付けを支援し、
そして前記補助的データは、画像ウインドウにおいてユーザによる前記トレンド表示ディスプレイ中の画像要素の選択に応答して表示するためであるシステム。
【請求項５】
請求項４に記載されたユーザインターフェース・システムであって、
更に、前記少なくとも一のディスプレイ画像は、次の、（ａ）前記データ項目の識別子を含むもの、（ｂ）前記患者のパラメータに関連するパラメータ・ラベルを含むもの、（ｃ）前記データ識別子に隣接しているもの、（ｄ）前記患者のパラメータ・ラベルに隣接しているもの、（ｅ）前記パラメータ・ラベルを含むもの、のうち少なくとも一を含む、テキスト文字のユーザの選択を支援するシステム。
【請求項６】
請求項４に記載されたユーザインターフェース・システムであって、
更に、前記少なくとも一のディスプレイ画像において、
ユーザの画像要素の選択に応答して、
前記プロセッサは、前記患者のパラメータに関連する補助的データのユーザによる入力を支援するディスプレイ・ウインドウを表示するデータの生成を開始し、
前記画像要素は前記パラメータ・ラベルを含むシステム。
【請求項７】
請求項１に記載されたユーザインターフェース・システムであって、
更に、前記少なくとも一のディスプレイ画像は、前記トレンド表示ディスプレイに表示するための前記データ項目のための識別子の、ユーザによる選択を支援するシステム。
【請求項８】
請求項１に記載されたユーザインターフェース・システムであって、
更に、前記患者のパラメータは、（ａ）血圧パラメータ、（ｂ）呼吸パラメータ、（ｃ）生命兆候パラメータ、（ｄ）血中酸素濃度表示パラメータ、（ｅ）流量に関連する静脈ポンプ・パラメータ、（ｆ）点滴治療に関するパラメータ、（ｇ）他の液体に関するパラメータ、のうち、少なくとも一のパラメータを含むシステム。
【請求項９】
請求項１に記載されたユーザインターフェース・システムであって、
更に、前記データ項目は、（ａ）患者の輸液の注入又は排出の体積、（ｂ）患者の輸液の注入又は排出の体積の比率、（ｃ）血液銀行の識別番号、（ｄ）血液型識別子、（ｅ）投薬指示、（ｆ）点滴治療の指示、（ｇ）静脈輸液タイプ識別子、（ｈ）前記患者のパラメータに関する患者の場所、（ｉ）ヘルスケア・ワーカーの識別子、のうち少なくとも一を含むシステム。
【請求項１０】
患者のパラメータの収集時間間隔を示す患者の医療パラメータ・データを表示する、トレンド表示ディスプレイを提供するシステムであって、
患者モニター装置から、患者のパラメータを表示するためのデータを収集するための収集プロセッサと、
ユーザの命令に応答して、前記患者のパラメータ及び前記患者のパラメータと、（ａ）患者の輸液又は排出の計算に用いられる体積データを表す前記データ項目、（ｂ）患者の輸液又は排出の比率の計算に用いられる体積データを表示する前記データ項目、（ｃ）前記トレンド表示ディスプレイの複数の収集時間間隔用いられる前記データ項目の数値、のうち少なくとも一を表す属性と、に関連するデータ項目を表示するためのトレンド表示ディスプレイを含むディスプレイ画像のうち、少なくとも一を表示するデータの生成を開始するためのプロセッサと、を含むシステム。
【請求項１１】
請求項１０に記載されたユーザインターフェース・システムであって、
更に、前記トレンド表示ディスプレイは、（ａ）前記データ項目の名前、（ｂ）前記データ項目の尺度の単位、（ｃ）パラメータ・ラベル、（ｄ）前記データ項目の識別子のうち少なくとも一を含むシステム。
【請求項１２】
請求項１１に記載されたユーザインターフェース・システムであって、
ユーザによる前記トレンド表示ディスプレイにおける画像要素の選択に応答して、
前記プロセッサは、少なくとも一の前記患者のパラメータに関連する補助的データを含むディスプレイ画像を表示するデータの生成を開始し、
前記画像要素は前記パラメータ・ラベルを含むシステム。
【請求項１３】
患者のパラメータの収集時間間隔を示す患者の医療パラメータ・データを表示する、トレンド表示ディスプレイを提供するシステムであって、
患者モニター装置から、患者のパラメータを表すためのデータの収集のための収集プロセッサと、
ユーザの命令に応答して、前記患者のパラメータのトレンド表示ディスプレイと、前記患者のパラメータに関連する補助的データであって、前記患者のパラメータの前記トレンド表示ディスプレイを表示するウインドウから除外される前記補助的データを含む画像ウインドウの表示するデータの生成の開始のためのユーザによる選択に応答できる前記トレンド表示ディスプレイ中の画像要素と、を含むディスプレイ画像のうち、少なくとも一を表示するデータの生成開始のためのプロセッサと、を含むシステム。
【請求項１４】
請求項１３に記載されたユーザインターフェース・システムであって、
更に、前記画像要素は前記パラメータ・ラベルを含むシステム。
【請求項１５】
患者のパラメータの収集時間間隔を含む時間を表示するトレンド表示ディスプレイにおいて患者の医療パラメータ・データを表すためのシステムを構成する方法であって、
患者モニター装置から、患者のパラメータを表すデータを収集するステップと、
トレンド表示ディスプレイのための患者のパラメータに関連するデータ項目のユーザによる選択を可能にすることにより、また、（ａ）前記データ項目は、患者の輸液の注入又は排出の計算に用いられる体積データを表すもの、（ｂ）前記データ項目は、患者の輸液の注入又は排出の体積の計算に用いるための比率を表すもの、（ｃ）前記データ項目の数値は、前記トレンド表示ディスプレイの複数の収集時間間隔に用いられるもの、のうち少なくとも一を表す属性に対してユーザによる関連付けを可能にすることにより、関連するデータ項目と共に患者のトレンド表示ディスプレイを構成するために使用する少なくとも一つのディスプレイ画像を表示するデータの生成を開始するステップと、を含む方法。
【請求項１６】
患者のパラメータの収集時間間隔を示す患者の医療パラメータ・データを表示する、トレンド表示ディスプレイを提供するための方法であって、
患者モニター装置から、患者のパラメータを表すためのデータを収集するステップと、
ユーザの命令に応答して、前記患者のパラメータ及び前記患者のパラメータと、（ａ）患者の輸液又は排出の計算に用いられる体積データを表示する前記データ項目、（ｂ）患者の輸液又は排出の比率の計算に用いられる体積データを表示する前記データ項目、（ｃ）前記トレンド表示ディスプレイの複数の収集時間間隔に用いられる前記データ項目の数値、のうち少なくとも一を表す属性と、に関連するデータ項目を表示するためのトレンド表示ディスプレイを含むディスプレイ画像のうち、少なくとも一を表示するデータの生成を開始するステップと、を含む方法。
【発明の詳細な説明】
【技術分野】
【０００１】
本発明は、医療情報の処理及び表示に関し、そして特に、ネットワーク環境においてユーザが表示を構成するための患者医療データの処理及び表示に関するものである。
【背景技術】
【０００２】
患者の医療パラメータ・データは、病院、クリニックその他の健康管理支援施設による臨床治療を患者に提供すべく、用いられるために収集され、照合され、格納され、そして表示される。患者医療パラメータ・データは、生命兆候、人工呼吸器情報、点滴に関連する輸血ポンプ・データ及び他のデータを含むことができる。そのような患者医療パラメータ・データは、時間軸の傾向指示図表中の患者モニタリング装置ディスプレイ上に典型的に表示される。この種の図は、一般にフローシートと呼ばれる。患者モニター装置は、患者のベッドの脇若しくは病棟や集中治療室のナースステーション又は外科あるいは他の場所に配置され、インターネット、ＬＡＮ又はイントラネットのようなネットワークに接続された、例えば患者に取り付けたセンサーのようなローカルな情報源や、例えば遠隔地に蓄えられた患者情報記録装置等、遠隔地の情報源から患者データを収集できるものである。前記フローシートは紙の生命兆候フローシートの代わりの、患者情報の電子化された時系列に沿った図表である。
【発明の開示】
【発明が解決しようとする課題】
【０００３】
紙のフローチャートの代わりとなる電子的なフローシートは、紙のフローシートのチャートと同等若しくはそれ以上の機能と柔軟性を持つことが望ましい。そのような紙のフローシートチャートは患者の水分摂取量や他の様々な方法で出力された情報を記録するために、病院の治療従事者が用いるものである。電子的なフローシートを提供している既存のシステムは、制限された性能で提供されている。特に、いくつかの既存のシステムでは、電子フローシートを水分摂取量や出力パラメータの異なるタイプに固定されたフォーマットで用いるように柔軟性が制限されている。他の既存のシステムは、収集された患者のパラメータのデータ項目を関連付けること及びそのようなデータ項目をフローチャートの望ましい位置に配置することについて、ユーザの能力を制限している。さらに、システムの患者のパラメータ情報をユーザに正確かつ迅速な伝達をする能力を妨げる、それによって、患者のパラメータのデータ項目との関連付けによってフローシートは妨げられ及び混乱させられるようになる。これらの制限は、既存のシステムが提供する電子的輸液フローシートは、紙のフローチャートの図表の機能及び柔軟性の模倣を失敗しているように見えることを意味する。システムは、発明の本質的な面からいうと、これらの制限や派生する問題に対処するものである。
【課題を解決するための手段】
【０００４】
システムは、患者のパラメータを望ましいように、そしてデータ項目と属性を関連付けて組み込み及び配置するための並びに致命的でない補助的データを隠すためのフローシート・トレンド表示ディスプレイの、ユーザによる構成を可能とすることにより、増加された柔軟性を提供する電子的な患者のパラメータ・フローシートを提供する。システムは、時間を表示するトレンド表示ディスプレイに患者の医療パラメータ・データを示す、ユーザに選択可能な収集時間間隔を備えるユーザ・インターフェースを構成する。収集プロセッサは患者モニター装置から、患者のパラメータを表しているデータを収集する。プロセッサは、トレンド表示ディスプレイのためのデータ項目のユーザによる選択及び、トレンド表示ディスプレイのためのユーザによる属性に基づく（ａ）データ項目は患者の輸液の注入又は排出の計算に用いられる体積データを示す、（ｂ）データ項目は患者の輸液の注入又は排出の計算に用いられる比率を示す、（ｃ）データ項目の値はトレンド表示ディスプレイの複数の収集時間間隔である、の（ａ）乃至（ｃ）の指示のうち、少なくとも一によってデータ項目の関連付けを可能にした、関連するデータ項目と患者のパラメータのトレンド表示ディスプレイの構成に用いる少なくとも一の画像を表示するデータの生成を始める。
【発明を実施するための最良の形態】
【０００５】
図１は、同一視された収集した時間間隔の中の、フローシートと名付けた患者のパラメータのトレンド表示ユーザ・インターフェース画面を提供する実行アプリケーション１９を受け入れたサーバ２０を組み込んだ通信ネットワークの典型的なブロック図である。フローシートは異なるタイプの、例えば静脈内注射、点滴及び血液製剤などを含む液体投与物のパラメータを含んでいてもよい。そのようなパラメータは、特定の液体投与物が記述された重要なデータの異なる部分が含まれる。さらに、病院は、それぞれのパラメータと、このデータの表示の方法を含むデータに関係のある異なる実施例を典型的に使用する。本発明に従った、フローシートの生成と構成をするシステムは、更に、望ましい患者のパラメータ、関連するデータ項目及び属性を組み込み配置することによる支持によって、柔軟性が増されたものを提供するためのフローシートのカスタム化をより好適に可能にする。公知のフローシートシステムは、例えば特定の血液製造物の血液銀行番号等の患者のパラメータに関連する補助的なデータ項目によって妨げられ混乱させられ、それによってフローシートの、迅速かつ正確な患者のパラメータ情報のユーザへの伝達をする能力を妨げる。発明者はユーザが、フローシート・トレンド表示ディスプレイの中の、特定のラベルを選択するか画像要素を選択するまで、トレンド表示ディスプレイに隠されている可能性がある補助的データは好適に認識している。
【０００６】
他に考えられる具体例としては、フローシート・ユーザ・インターフェースを提供する実行可能なアプリケーションは、図１に示されたどこかの部分のネットワークの他の処理装置にしていてもよい。図1に示す通信ネットワーク１は、ＩＰ（インターネット・プロトコル）によって互換性のある、ローカルエリア・ネットワークとワイドエリア・ネットワークの階層を有する、共に相互に接続されたネットワークである。現在の典型的な病院や医療ネットワークはＩＰ互換ネットワークであるにもかかわらず、ネットワークのタイプは異なるものであるが、それを制限せずに、光学的又は無線ネットワークが用いられている可能性や、技術に熟練した者がすぐに高く評価するような、例えば、Ｘ．２５、フレームリレー、ＩＢＭ  ＳＮＡ等のように制限せずに異なるコンピュータ・プロトコルが制限せずに用いられている可能性もあることに留意する必要がある。加えて、記載されている典型的なネットワークは階層ネットワークであるけれども、これは本発明には必ずしも必要ではない。ネットワーク上の装置間の通信接続性を提供するネットワークアーキテクチャのいかなるタイプも用いることができる。
【０００７】
図１に示すように、典型的な階層ネットワーク１の最初の階層は、医療インターフェース・バス（ＭＩＢ）２を含む。ＭＩＢは医療産業のローカルな医療装置の相互の接続の標準として周知である。図１に示すように、ＭＩＢ２は、特定の患者に治療を施すこと及び特定の患者をモニターすることに、患者の病室において医療装置の相互の接続に典型的に用いられる。例えば図１に表された人工呼吸器６ａ、静脈ポンプ８、あるいはその他の医療装置１０など、様々な医療装置はＭＩＢ２を介して接続することができる。ＭＩＢ２は、典型的な第２のレベルのＬＡＮであるネットワーク３と、イーサネット（登録商標）互換ＬＡＮであるネットワーク３に直面するためのインターフェース接続ステーション（ＩＤＳ）装置１２を通して接続される。ＬＡＮ３は例えばシーメンス・メディカル・システムによって販売されているインフィニティＬＡＮでもよい。この高レベルＬＡＮ３は必ずしも必要ではないが、集中治療を行う部署や外科等の組織の規模に依存する部署のように病院内の特定の部署によって典型的に用いられている。
【０００８】
図１に示していないが、複数のＭＩＢを第２レベルのＬＡＮ３に接続することも可能であり、その結果、ＬＡＮ３を通して複数の患者をモニターしあるいは治療を施すことが可能である。例えば、図１に示すように、人工呼吸器６ｂと麻酔システム２２は、ＬＡＮ３にＭＩＢを用いることなく直接接続されている。さらにその上、ＬＡＮ３は、イーサネット（登録商標）互換ＬＡＮでもある病院ＬＡＮバックボーン４と相互接続されていてもよい。このバックボーン・ネットワーク４は、例えば、病院管理システム１５と研究所システム１７を接続するような、病院や医療組織の中の様々な部門間で通信接続性を提供する。加えて、病院ＬＡＮ４は、例えば遠隔地の医者のオフィス２３やリモートケア施設２４のような遠隔地から、例えばインターネット２９を通じて、ネットワーク１上の様々なシステムや装置とセキュアな接続を提供するリモートアクセス・ゲートウェイ１１を有する。他には、遠隔施設は、例えば、ダイアルアップ電話ポート、ＡＤＳＬあるいは他のプライベート接続の他のタイプを通してリモートアクセス・ゲートウェイ１１に直接的に接続することもできる。リモートアクセス・ゲートウェイ１１は，周知技術として、スタンドアローンの代わりに、後述のように、サーバ２０の一部であってもよい。
【０００９】
本発明の原理に従って、例えば、ＨＬ７インターフェースを通して接続された研究室システム１７を介して、提供された研究所の成果を含む、実行可能なアプリケーション１９（又は別の実施例では複数のアプリケーション）が、周辺装置の医療装置又はＬＡＮ３又は病院内ＬＡＮ４から設備からデータを収集し処理するＬＡＮ３上のセントラル・サーバ２０上に常駐する。追加の医療パラメータ・データは、図１に示されたようなあらゆる数の医療装置から収集された、例えば、ＡＳＴＭメッセージングを用いてサーバ２０により収集された、追加の研究結果を含む。収集された医療パラメータは、与えられた患者と関連のある研究所のテスト結果を含む、ディスプレイ及びコントロール・モニタ５ａ、５ｂ又はＰＣ２６及び３９又はその他の図１のネットワークのあらゆるレベルのディスプレイ受入装置のための、ネットワーク１上の医療装置から収集される。当業者は、全ての異なる階層のＬＡＮから図１の遠隔施設が相互接続されているのと同様に、例えば、ＬＡＮ３又はＬＡＮ４のように、ネットワーク１の階層のいかなるレベルにもサーバ２０が設置できることを、直ちに認識できる。サーバ２０の具体例は、プロメテウス・サーバであり、シーメンス医療システムによって販売されている。前記サーバは、例えば、マイクロソフトＮＴオペレーティング・システムが実行できるコンピュータシステムをホストとするものでもよい。
【００１０】
アプリケーション１９は、ユーザが選択可能な収集時間間隔を含む時間をカバーした、患者のパラメータのユーザ・インターフェース・トレンド表示ディスプレイ、すなわちフローシートを提供する。フローシート中のカラムによって表される、ユーザが選択可能な収集時間間隔は、患者のパラメータが収集された時間（典型的には、３分から４時間、あるいはその他のユーザの選択した範囲）を、カバーする。アプリケーション１９は、個々の収集時間間隔を表したフローシート・カラム中に表示された選択された患者のパラメータの値によって、収集された患者データを自動的にフィルタリングする。特に前記選択された患者のパラメータは、個々の収集された時間間隔を表す、インターネット互換、すなわちＷＥＢベースのフローシートのカラムに、組み込まれている。アプリケーション１９は、補助的なデータ項目を含む患者のパラメータの構成を可能にする複数の表示画像生成を開始する。この補助的なデータ項目は、複数の異なる患者のパラメータのフローシートの表示に有用なデータ項目を含んでも良い。
【００１１】
図２はフローチャート形式に、実行アプリケーション１９によって実現される機能を表したものである。アプリケーション１９は、ステップ２０２に示すように、ステップ２０１が開始した後に、ネットワーク上の装置との通信を確立させる。これは例えば、高位のアプリケーション層プロトコルと結合することにより、ＩＰプロトコルや図１のネットワーク上の装置毎の知られたＩＰアドレスを用いて実行されることは周知技術である。一旦、サーバ２０と他の装置との間に通信が確立すると、アプリケーション１９は、ステップ２０４において、モニターされているパラメータの収集を開始する、研究所が結果を出力し様々な装置の選択された設定をする。明らかに言及されていることとして、研究結果は、ＬＩＳ１７によってＨＬ７インターフェースを通して又はＡＴＳＭ若しくはＭＩＢを介して、図１に示されたポイント・オブ・ケア（ＰＯＣ）医療装置から収集される。
【００１２】
サーバ２０中の関係データベース２５に蓄えられる、医療データと研究結果は、連続して、定期的に又は不定期に、収集され、そして、与えられる患者と相互に関係する。データベース２５は、マイクロソフトＳＱＬサーバのような関係データを蓄えるために用いられるタイプのものでもよい。加えて、アプリケーション１９は、患者のパラメータ・データと、例えば、図１の研究所システム１７において、最初に入力され蓄えられた医療研究結果を含む患者データを収集する。また、アプリケーション１９は、健康管理支援施設が入力した、表示するための医療記録を収集することもできる。ステップ２０６において、サーバ２０のアプリケーションは、ユーザの命令に応答して、表示に望ましい順序及び／又は時間フレームで、サーバ２０に患者データに優先順位を付けそして蓄える。アプリケーション１９は、例えば、ステップ２０８と２１０中のフローシートの生命兆候、人工呼吸器情報、輸液の注入を伴う輸液ポンプ・データ及びその他のデータを含むトレンド指示患者のパラメータ・データを表示するウインドウを生成する。例えば患者のパラメータ・データは、血圧パラメータ、呼吸パラメータ、生命兆候パラメータ、血中酸素濃度パラメータ、輸液の注入を伴う輸液ポンプ・データでもよい。また、ステップ２０８及びステップ２１０においても、アプリケーション１９は、例えば患者のパラメータ、データ医療研究結果又はユーザが入力した医療記録を表示する第二のウインドウと共に命令された患者データを表示する第一のウインドウのような、同時に表示する合成のウインドウをも生成する。図２の前記プロセスはステップ２１３で終了する。
【００１３】
本発明の一態様において、ユーザは、図１に示すマイクロソフト・ウインドウズ互換ＰＣ２６またはウインドウズＮＴ互換ＰＣ３９またはその他の、例えばマイクロソフト・インターネット・エクスプローラやネットスケープ・ナビゲータなどのＷＥＢブラウザプログラムのような、フローシートや与えられた患者に関する医療パラメータ情報及び研究結果情報を視認するためのメニュー生成プログラム処理装置を使用することができる。すなわち、ユーザは、通信接続がサーバ２０及びアプリケーション１９の間において可能である限り、データベース２５に要求及び視認情報を収集させ蓄えさせるために、いかなる処理装置上のＷＥＢブラウザを使用することができる。これは、例えば、専用端末装置にアクセスする必要もなくフローシートや研究検査結果に、遠隔治療者のオフィス２３にアクセスするメリットを得ることができることは、医者にとって有益である。もちろん、ユーザは、周知技術であるように、単にキーボード及び／又はマウスあるいはその他のユーザのコンピュータ上の入力用の選択又は要求をするユーザ・インターフェース装置を使用できる。アプリケーション１９は、従って例えば、ＷＥＢブラウザ上の表示データ用のＨＴＭＬ（Ｈｙｐｅｒｔｅｘｔ  Ｍａｒｋ−ｕｐ  Ｌａｎｇｕａｇｅ）プログラム言語と互換である医療データの照合及び構成の能力がある。アプリケーション１９はまた、例えばユーザのＷＥＢブラウザへの要求に由来した、ＨＴＴＰ（Ｈｙｐｅｒｔｅｘｔ  Ｔｒａｎｓｆｅｒ  Ｐｒｏｔｏｃｏｌ）命令に応答する。
【００１４】
図１０は、トレンド表示ディスプレイ構成を支援する表示画像を提供しそして、結果として生じる構成されたトレンド指示ディスプレイを提供するする方法のフローチャートを示す。ステップ２２３において、ステップ２２１のスタートに続いて、アプリケーション１９は、図１に関連がある前述の方法による、患者モニタリング装置の患者のパラメータに代表されるデータを収集する。ステップ２２５において、アプリケーション１９は、関連付けられたデータ項目と共に患者のパラメータを表示するトレンド表示ディスプレイを構成する、複数の表示画像のデータの生成を開始する。患者のパラメータは、例えば血圧パラメータ、呼吸パラメータ、生命兆候パラメータ、血中酸素濃度パラメータ、点滴治療パラメータ、流量に関する輸液ポンプ・パラメータ又は他の輸液パラメータを含む。データ項目は、例えば、患者の輸液と排出の体積、患者の輸液と排出の体積の比率、血液銀行の識別番号、血液型識別子、投薬指示、点滴治療の指示、静脈輸液タイプ識別子、前記患者のパラメータに関する患者の位置、又はヘルスケア・ワーカーの識別子、を含む患者のパラメータに関連する。図３に、フローシートのある列の中の患者の血液採取データ項目３００及びフローシートの異なる列の血液の体積に関するデータ項目３０３を表示する、トレンド指示ディスプレイを示す。
【００１５】
ステップ２２５において、アプリケーション１９は、図４乃至図９に示された、フローシートのトレンド表示ディスプレイを構成するための複数のディスプレイ画像に代表される、データの生成を開始する。図４乃至図９は、トレンド表示ディスプレイのための関連するレベル、データ項目及び補助的データを含む患者のパラメータ・データの、ユーザによる構成を支援する画像を示す。図４は新しく取得した患者のパラメータ（３１３）が構成する、ユーザによる、項目３１５を介して患者のパラメータ名のユーザの入力による識別された患者のパラメータの個々の構成の決定を支援するディスプレイ画像を示す。特に、前記図４のユーザインターフェース・ディスプレイ画像はユーザに  項目３１７の起動を介した、患者ラベル、項目３１９の起動を介した、患者のパラメータに関連する一又はそれ以上のデータ項目及び項目３２１の起動を介した、患者のパラメータに関連する補助的データを含む構成の選択を開始することを可能にする。例えば、図３の項目３００のような、ユーザの決定可能なパラメータ・レベルはフローシートの一番左のカラムに表示され、一又はそれ以上の行数を占有する場合がある。さらにユーザは、一又はそれ以上の、例えばデータ項目３０３のようなデータ項目を選択することができ、一又はそれ以上のフローシート・ディスプレイの列を占有することができ、そしてトレンド表示フローシートのメイン・ディスプレイから好適に削除されるパラメータに関連する補助的データの入力をすることもできる。補助的データは、図３のポップアップ・メニュー３０５中に、ユーザによる、例えば、他の実施例中の異なる画像の要素のユーザの選択に応答して、特定のパラメータのためのラベル３００の選択に応答した、特定のパラメータのための、フローシートのデータ項目とともに表示される。
【００１６】
図５のユーザ・インターフェース画像は、フローシートの列における表現のためのデータ項目の、ユーザの選択を支援する。図５のユーザ・インターフェース画像は、例えば、図４のディスプレイ画像中の項目３１９のユーザの選択に応答して表示される。図５のディスプレイ画像は、この例では「Ｂｌｏｏｄ」である、ボックス３３５中の識別された患者のパラメータに関連するデータ項目について、ユーザの選択による開始を可能にすることにより、ヘディング３３３に示された血液パラメータの変更を支援する。この目的のために、ユーザは、予め設けられたメニュー３４３中の、現存するデータ項目のリストから前もって作成されたデータ項目の選択をすることができる。あるいは、図５のボタン３４０によるユーザの選択に応答して生成され図６に示されたディスプレイ画像を介して作った、新しいデータ項目の選択をすることができる。ユーザはまた、ボックス３４５を介して選択されたあるいは作成されたデータ項目とともに表示される、固定されたテキストを修正して入力することができ、また、メニューバー３４７の中のボタンを介し、図５のユーザ・インターフェース画像を介して選択されたデフォルトのデータとして受け入れ、キャンセルし、削除し、あるいは設定することができる。前記固定されたテキストは、パラメータ・ラベル中又はデータ項目ラベル中のどんな場所で入力されていてもよい。例えば、接続する文字は、患者のパラメータのデータ項目ラベルの間に配置可能であり、あるいは、ラベルは、ユーザが文字や文章の追加の入力をすることなく、例えば「尿」のような、液体の識別が可能である。図５、図６及びその他のディスプレイ画像は、データ項目の識別子、パラメータ・ラベル若しくは接したデータの識別子、又は患者のパラメータ・ラベルを含むテキスト文章のユーザの選択を支援する。項目３３７及び項目３３９は各々、フローシートの左のカラムに表示ラベル、及び識別された前記患者のパラメータに関連するボックス３３５中の、フローシートの列に表示されたデータ項目を表示する。項目３３１は、フローシートに隠れているが、フローシート中のパラメータ・ラベルのユーザによる選択に応答してポップアップ・メニューに表示されるボックス３３５の患者のパラメータに関連する補助的データを表示する。
【００１７】
ユーザは、図６の、フローシートに表示するための患者のパラメータに関連するデータ項目の、作成をするための又はヘディング３５０に表示されたような修正をするための、ユーザインターフェース・ディスプレイ画像のメニュー・ウインドウ３６０を使用する。前記図６の画像は、血液の患者のパラメータに関する血液型データ項目の作成を示したものである。ユーザは、フローシートに表示されたボックス３５７に項目名を、この例では「血液型」を、入力する。ユーザは更に、データのタイプを、タイプの選択肢３５９を介してデータ項目のために、数値、文字列、リスト及び追加のものから選択する。収集した時間間隔におけるフローシートの患者のパラメータ・データ項目の数値の表示は、累積した値の算出のための連続する収集した時間間隔における、他のデータ項目の数値と合計される。メニュー・ウインドウ３６０は更に、異なる追加のユーザの選択可能な情報であって、選択されたデータのタイプに依存した一致するデータ・タイプに関する情報を表示する。例えば、リスト・データのタイプ３５９の選択肢が表示され選択されたことにより、メニュー・ウインドウ３６０は、ユーザが患者の血液型（Ａ、Ｂ、Ｏ＋及びＯ−）に関するパラメータをユーザが選択することを可能にする選択リスト３６１を表示する。メニュー、ウインドウ３６０は、ユーザがフローシートのトレンド表示ディスプレイにおいて血液型を含めて選択可能な類似の選択肢リスト３６３を表示する。バー３６５中のメニューボタンは、ウインドウ３６０中の構成データの、ユーザによる受け入れ又はキャンセルを許可する。
【００１８】
表示されたフローシートは、患者のパラメータ・データの列及び関連するデータ項目であって、図３に示すような、列ごとのあるデータ項目として表示されたデータ項目を含む。図６及び図７のユーザインターフェース・ディスプレイ画像は、ユーザのデータ項目及び関連するデータ項目の列の属性をより好適に、選択可能にする。図７のユーザ・インターフェース画像は、血液についての患者のパラメータに関する液体の体積のデータ項目の生成に用いられる図６のメニュー・ウインドウ３６０を表示している。ユーザは、フローシート中に表示されたボックス３５７において、一致する名前、この例では「Ｖｏｌ」、のみならずボックス３５３を介して、データ項目の名前を、この例では「体積（Ｖｏｌｕｍｅ）」を、入力する。ユーザは数値データ・タイプの選択肢を、例えばタイプの選択肢３５９を、介して選択する。それに応じて、メニュー・ウインドウ３６０は、ユーザが選択したデータ項目、この例では「体積」、に関連する、現在ユーザの選択可能な属性３７２乃至３７８について更新される。ユーザは、一又は複数の属性を含む体積データ項目を関連付けることができ、属性３７２が表示するデータ項目は、患者の静脈への輸液又は排出の体積の計算に用いられる比率を表し、データ項目の数値を表示する属性３７６は、トレンド表示ディスプレイの複数の収集時間間隔に用いられ、そして属性３７８はデータ項目の尺度となる単位を表示する。更に、データ項目の数値の範囲及び精度は、また、表示ボックス３８０を介しユーザによって決定される。
【００１９】
ユーザは、データ項目を、フローシートの列に表示するか、あるいはフローシート及びメニュー３０５のようなポップアップ・メニュー表示から削除されるべき補助的データとして識別するかの選択が可能である。図５と類似の様式である図８は、ユーザインターフェース・ディスプレイ画像の、ボックス３９０に表示された患者のパラメータに関する識別データを表す。特に、図８は、フローシートの左のカラムに表示されたラベル３９２、フローシートの列に表示されたデータ項目３９４及びフローシートに隠れているがユーザのパラメータ・ラベルの選択に応答してフローシートのポップアップ・メニューに表示される補助的データ３９６を表す。パラメータ・ラベル３９２及びデータ項目３９４は、フローシート中に表示されるこれらの項目の様式を表示する「プレビュー」３９８によって表示される。これは、ユーザによる、望ましいフローシート様式の作成を支援する。更に、ユーザは、メニュー・バー４００中のボタンを介して図８のユーザ・インターフェース画像によって選択されたデータを、デフォルトとして受け入れ、キャンセルし、削除し、あるいは設定することができる。
【００２０】
図９は、フローシート中の患者のパラメータ４５０に関連する、ユーザが入力したデータを表示する、ポップアップ・メニュー４７０を示す。ポップアップ・メニュー４７０は、  図４乃至図８に示すようなユーザ・インターフェース画像を用いて、患者水分摂取パラメータ又は水分排出パラメータのような、パラメータ・データ４５０を表示するためのフローシートのユーザによる構成に従って、そして表示されたフローシート中のセルのユーザによる選択に応答して、表示される。ポップアップ・メニュー４７０は、ユーザが入力した患者のパラメータ・ラベル、この例では血液及び血液型Ｏ＋、を識別するフィールド４５２及びフィールド４５４を含み、フィールド４５６及びフィールド４５８はユーザがフローシートに入力したデータ項目を識別し、そしてフィールド４６１及びフィールド４６３はユーザのフローシートに隠れているがユーザのパラメータ・ラベルの選択に応答してポップアップ・メニューに表示できる補助的データの入力を識別する。ポップアップ・メニュー４７０は、ユーザによる  例えば、図５及び図６のユーザインターフェース・ディスプレイ画像中の修正可能なラベル４５２及びラベル４５４の除外を伴う、当該フィールドのデータの視認及び修正を可能にする。
【００２１】
図１０のフローチャートに戻ると、ステップ２２７においてアプリケーション１９は、ステップ２２３において収集された、構成されたフローシートの患者のパラメータのトレンド表示ディスプレイを表示する画像データの生成を開始する。特に、アプリケーション１９は、ある列の中の患者の輸血パラメータ３００及び別の列の中の血液の体積に関するデータ項目３０３を表示する、図３において説明されたトレンド表示ディスプレイを示すためのデータを生成する。更に、ステップ２２７においてアプリケーション１９は、前記患者のパラメータのためのラベル３００のユーザによる選択に応答して、フローシートのパラメータ３００のデータ項目と共に、ポップアップ・メニュー３０５中の患者のパラメータ３００に関する補助的データを表示する画像データの生成を開始する。図１０の処理はステップ２３１において終了する。
【００２２】
図１１に、トレンド表示ディスプレイのフローシートの構成若しくは表示のためのデータの生成及び患者の医療情報を有するデータベース２５の管理、照合、検索若しくは更新といった、本発明に従った機能を含んだサーバ２０の、典型的な具体例のブロック図を示す。実行アプリケーション１９又はプロセッサは、フローチャートに関する処理を実行するアプリケーション１９及び、与えられた患者に配分されモニターされた、ネットワークからのパラメータを含む患者データを収集し及びデータベース２５に蓄えられた情報を照合する通信処理モジュール２５０２を含む、本願明細書に記載された発明の様々な機能を実行するための命令を実行するために動作している。ナビゲーション照合プロセッサ２５０４は、ＷＥＢブラウザ及び、ユーザが出す、ユーザ・インターフェースを通して、ユーザが選択した様々なアプリケーションを通した指示の表示のために、照合若しくは優先順位付けのためのパラメータ表示生成ソフトウェアと、結合して動作する。ネームサーバ・プロセッサ２５０６は、ユニーク・アイデンティファー（ＩＤｓ）と、システム・ネットワークに接続された各々のノード及び、システム全体の患者情報の追跡及び更新をするために、システム中の各々の患者を関連付ける。入出力データ及び制御信号は、データベース２５とサーチエンジン２３や、通信回線２５１０を介したネットワークとの間のインターフェースのような様々なプロセッサ間の通信に用いられる。
【００２３】
図１乃至図１１に示した前記フローチャートのユーザインターフェース・ディスプレイ画像、システム及び方法は、これに限定されない。他のフローチャートの構成及び表示ディスプレイ画像、システム及び方法であっても、同一の目的を達成するために、本発明の原理に従って導き出される場合がある。しかしながら、本発明は、特定の実施例を引用して記載されており、本願明細書に表され及び記載された実施例及びバリエーションは例示を目的とするのみであって、様々な態様の変更が本発明の範囲内において当業者により行うことができると理解されることになっている。フローシート・ユーザ・インターフェース機能が指示する柔軟性、ユーザ・フレンドリ、フローシートの構成及び表示様式は、異なるユーザがデータに異なる方法に対応して表示されることを要求する、いかなるアプリケーションにおいても用いることができる。前記システムは、ユーザによる、ユーザの定義した要素からのパラメータ・ラベルの生成及びパラメータの比率又は量として患者のパラメータに関するデータ項目の特定を好適に可能にする。更に、前記システムは、混乱を減らすために補助的データが特定の画像から好適に隠され、そしてユーザの命令に応答して表示される。
【図面の簡単な説明】
【００２４】
【図１】本発明に従った、様々な装置を伴う通信ネットワークのブロック図である。
【図２】本発明に従った、ユーザ・インターフェースを供給する方法のフローチャートである。
【図３】本発明に従った、トレンド表示ディスプレイ中に患者医療パラメータ・データを表示するユーザ・インターフェース表示画像及び患者のパラメータに関連する補助的データを表示するポップアップ・メニューを示す図である。
【図４】本発明に従った、トレンド表示ディスプレイのための、関連するラベル、データ項目、及び補助的データを含む患者医療パラメータの、ユーザによる構成を支援するユーザ・インターフェース表示画像を示している図である。
【図５】本発明に従った、トレンド表示ディスプレイのための、関連するラベル、データ項目、及び補助的データを含む患者医療パラメータの、ユーザによる構成を支援するユーザ・インターフェース表示画像を示している図である。
【図６】本発明に従った、トレンド表示ディスプレイのための、関連するラベル、データ項目、及び補助的データを含む患者医療パラメータの、ユーザによる構成を支援するユーザ・インターフェース表示画像を示している図である。
【図７】本発明に従った、トレンド表示ディスプレイのための、関連するラベル、データ項目、及び補助的データを含む患者医療パラメータの、ユーザによる構成を支援するユーザ・インターフェース表示画像を示している図である。
【図８】本発明に従った、トレンド表示ディスプレイのための、関連するラベル、データ項目、及び補助的データを含む患者医療パラメータの、ユーザによる構成を支援するユーザ・インターフェース表示画像を示している図である。
【図９】本発明に従った、トレンド表示ディスプレイのための、関連するラベル、データ項目、及び補助的データを含む患者医療パラメータの、ユーザによる構成を支援するユーザ・インターフェース表示画像を示している図である。
【図１０】本発明に従った、トレンド表示ディスプレイの構成を支援するディスプレイ画像を提供しそしてトレンド表示ディスプレイの構成をするための方法のフローチャートである。
【図１１】本発明に従った、サーバの持つ機能についてのブロック図である。
【図１】
2005525853.tif 000003
【図２】
2005525853.tif 000004
【図３】
2005525853.tif 000005
【図４】
2005525853.tif 000006
【図５】
2005525853.tif 000007
【図６】
2005525853.tif 000008
【図７】
2005525853.tif 000009
【図８】
2005525853.tif 000010
【図９】
2005525853.tif 000011
【図１０】
2005525853.tif 000012
【図１１】
2005525853.tif 000013
【国際調査報告】
2005525853.tif 000014
2005525853.tif 000015